(57)【特許請求の範囲】
【請求項１】
浴室内に設けられた浴槽の中に洗剤成分を含んだミストを注入するように霧化装置を配置し、前記霧化装置は、霧化用振動子により洗剤液を振動させることにより前記ミストを発生させ、循環ファンを駆動させて浴室に前記ミストを付着させる洗浄装置。
【請求項２】
洗剤成分を含んだミストが浴槽を充満するような量を発生する霧化装置を配置した請求項１記載の洗浄装置。
【請求項３】
洗剤成分を含んだミストが浴室全体を充満するような量を発生する霧化装置を配置した請求項１記載の洗浄装置。
【請求項４】
洗剤成分を含んだミストを充満させた後に、シャワーを噴射するための給水噴射手段を有する請求項１〜３のいずれか１項記載の洗浄装置。
【請求項５】
所定の時刻に洗剤成分を含んだミストを浴槽の中、あるいは浴室全体に注入するように霧化装置を配置した請求項１〜４のいずれか１項記載の洗浄装置。
【請求項６】
霧化装置は、霧化用振動子の振動面側に液体を封入した容器とを備え、前記封入した液体と容器を介して容器外側の霧化用液体を霧化するよう構成した請求項１〜５のいずれか１項記載の洗浄装置。
【発明の詳細な説明】
【技術分野】
【０００１】
本発明は、浴槽を有する浴室内を洗浄する装置に関するものである。
【背景技術】
【０００２】
従来の浴室においては、浴槽は普通は洗剤液を用いて人がこすって汚れを洗浄するのが一般的である。
【０００３】
また、自動的に浴槽や洗い場を洗浄することができるような洗浄システムも提案されている。それは、図４に示すように、浴室１内に設けられた浴槽２に対して、洗剤を散布するためにポンプ（洗剤噴霧手段）３を用いて洗剤ノズル（洗剤噴霧手段）４から、洗剤を全体的に散布し、浴槽２の汚れを浮かす。その後に、放水ノズル（散水手段）５により上水をシャワーとして散水し、汚れと洗剤成分を洗い流すという構成である（例えば、特許文献１参照）。
【特許文献１】特開平１０−２１６０６８号公報
【発明の開示】
【発明が解決しようとする課題】
【０００４】
しかしながら、上記のような構成では、洗剤液を噴霧するための洗剤噴霧手段や汚れや洗剤成分を洗い流すための上水を噴射するための散水手段が必要である。
【０００５】
これらの装置は、浴槽内あるいは浴室全体に洗剤液や上水を満遍なくかけるためには、その噴射のためにそれぞれの液に圧力をかけるポンプや全体にかけるための噴射口を移動、回転させる駆動装置やそれぞれの配管などといったかなりの設備が必要となる。また、その制御も複雑になってくる。
【０００６】
また、洗剤噴霧手段は、噴霧口からかなり大きな粒径の洗剤液を噴射するので、その洗剤液は飛散の方向性を持ち、浴槽内あるいは浴室全体に満遍なく噴霧するのが難しいという課題があった。
【０００７】
本発明は、上記従来の課題を解決するもので、被洗浄物としての浴槽の中、あるいは浴室全体に、霧化した高濃度の洗剤液を注入、充満させ、その洗剤液の化学力を利用して被洗浄物の洗浄を行うことにより、少量の上水、洗剤液と電力で浴槽の洗浄を行うことができる。また、本発明の霧化した高濃度の洗剤液は粒径の比較的小さなもので、空気中を浮遊するのでいかなるところにも回り込んで付着することができる。安価な構成で、浴槽や浴室を洗浄する浴室の洗浄装置を提供することを目的とする。
【課題を解決するための手段】
【０００８】
本発明は、上記目的を達成するために、浴室内に設けられた浴槽の中に洗剤成分を含んだミストを注入するように霧化装置を配置し、霧化装置は、霧化用振動子により洗剤液を振動させることによりミストを発生させ、循環ファンを駆動させて浴室にミストを付着させるものである。
【０００９】
これにより、浴槽内を簡単に洗浄できる。これは、シンクの中に洗剤成分を含んだミストを注入し、充満させることによって、前記浴槽や浴室といった被洗浄物に対して洗剤成分を含んだミストを付着させ、所定時間放置しておけば洗剤の化学力により、被洗浄物に付着している汚れが浮き出し、被洗浄物からはがれやすくなる。その状態で、上から上水のシャワーを噴射することにより浮き出した汚れをはがし落とすことができるものである。また、循環ファンを用いることにより、浴室にミストを付着することができる。
【００１０】
ここで、洗剤成分を含んだ粒径の非常に小さいミストは、汚れに対して付着する際に、その汚れに対して穴を開けていき、汚れの内部に洗剤成分を挿入することができる。したがって、汚れと被洗浄物との境界に洗剤成分を有効に使用することができるので、通常の
洗剤液をかけるよりも汚れを浮き上げるという効果が大きい。特に、膜となった油の汚れに対しては、非常に効果がある。
【００１１】
ここで洗剤成分を含んだミストについて説明しておくと、少量の洗剤液を超音波振動子で霧化させることにより発生することができる。したがって、大量の水を使用することもなく、また、加熱することもなく、非常に少量の電力によって洗浄を行うことができる。
【発明の効果】
【００１２】
本発明の洗浄装置は、被洗浄物に対して、霧化した高濃度の洗剤液を注入、充満させ、その洗剤液の化学力を利用して被洗浄物の洗浄を行うことにより、少量の水と電力で被洗浄物の洗浄を行うことができる。また、循環ファンを用いることにより、浴室にミストを付着することができる。
【発明を実施するための最良の形態】
【００１３】
第１の発明は、浴室内に設けられた浴槽の中に洗剤成分を含んだミストを注入するように霧化装置を配置し、霧化装置は、霧化用振動子により洗剤液を振動させることによりミストを発生させ、循環ファンを駆動させて浴室にミストを付着させるものであり、少量の洗剤液を超音波振動子で霧化させることにより洗剤成分を含んだミストを発生させ、浴槽内へ注入することができる。その洗剤液の化学力を利用して浴槽内の洗浄を行うことにより、少量の水と電力で被洗浄物の洗浄を行うことができる。また、循環ファンを用いることにより、浴室にミストを付着することができる。
【００１４】
第２の発明は、上記第１の発明において、洗剤成分を含んだミストが浴槽を充満するような量を発生する霧化装置を配置したものであり、浴槽内全体にわたって洗浄するためにも、その中を十分に充満させることが有効であるので効率的に浴槽内の洗浄を行うことができる。
【００１５】
第３の発明は、上記第１の発明において、洗剤成分を含んだミストが浴室全体を充満するような量を発生する霧化装置を配置したものであり、浴室内全体にわたって洗浄するためにも、その中を十分に充満させることが有効であるので効率的に浴槽内の洗浄を行うことができる。
【００１６】
第４の発明は、上記第１〜第３の発明において、洗剤成分を含んだミストを充満させた後に、シャワーを噴射するための給水噴射手段を有するものであり、洗剤成分を含んだミストにより、被洗浄物から汚れを浮かした後、シャワーの噴射により汚れを簡単にはがすことができる。
【００１７】
第５の発明は、上記第１〜第４の発明において、所定の時刻に洗剤成分を含んだミストを浴槽の中、あるいは浴室全体に注入するように霧化装置を配置したもので、たとえば、毎晩、最後の人が入浴した後の所定時間に、霧化装置を駆動すれば、人のいないときに洗剤成分の含んだミストを利用し、浴槽内あるいは浴室全体の汚れを浮かしておくことができる。これは、洗剤成分の含んだミストは非常に軽いので、人が動いただけでその浮遊状態が変わり、必要な汚れのあるところの洗剤成分の含んだミストがなくなるのを防ぐことができる。また、毎日確実に洗浄することで、浴槽内あるいは浴室全体を常にきれいな状態に保つことができる。
【００１８】
第６の発明は、上記第１〜第５の発明において、霧化装置は、霧化用振動子の振動面側に液体を封入した容器とを備え、前記封入した液体と容器を介して容器外側の霧化用液体を霧化するよう構成したものであり、霧化用振動子が、直接、洗剤液に触れないようにすることにより、いろいろな洗剤液が使用されたり、スケール分等が多い井戸水等において
も、霧化用振動子の表面に洗剤の特定の成分や無機質分が直接付着することがないので、その動作に影響を与える事が無く、本来の目的である液体の霧化を長期間に亘って安定的に行うことができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における、洗剤成分を含んだミストを発生させる霧化装置を組み込んだ浴槽の洗浄装置を示す断面図である。また、図２は、同洗浄装置の洗剤成分を含んだミストを発生させる霧化発生部の拡大断面図である。
【００２１】
図１、図２において、浴室１内に設けられた浴槽２に対して、霧化発生部６で洗剤成分を含んだミスト７を発生させて、洗剤成分を含んだミスト７を注入できるように構成している。
【００２２】
霧化発生部６の具体的構成は、図２に示すように、霧化発生部６の底部に霧化装置８を配置する。霧化装置８の上方は、液溜め部９としてここに洗剤液を溜めておく。洗剤液を作る為に、霧化発生部６の天面は、洗剤投入の為の投入フタ１０として、ユーザーに開けてもらいここから液溜め部９へ洗剤を投入してもらう。
【００２３】
洗剤液を作り、それを霧化する為には適正な水位の洗剤液にすることが重要である。したがって、上水から分岐して自動的に上水を供給するための給水弁１１と水位センサー（図示していない）を配置し、液溜め部９に適正な量の水を供給できるようにする。
【００２４】
次に、霧化装置８は、液体８ａを封入した容器８ｂと、容器８ｂの底部に配置され超音波振動子からなる霧化用振動子８ｃから構成されている。容器８ｂの、霧化用振動子８ｃと対向する位置に有る天面８ｄは、霧化用振動子８ｃが駆動された時に、液体８ａを介して霧化用振動子８ｃから伝播された振動で振動する振動面となる。天面８ｄは、洗剤液の成分に対して影響を受けない材質で、振動しやすい樹脂により形成する。
【００２５】
上記構成における霧化装置８により、霧化発生部６で洗剤分を含んだミスト７を発生する為の動作、作用を説明する。
【００２６】
まず、ユーザーに投入フタ１０から洗剤を投入してもらう。電源をいれ、スタートしてもらうと、給水弁１１と水位センサーにより適正な水位の洗剤液を作る。
【００２７】
次に、霧化用振動子８ｃを駆動すると、霧化用振動子８ｃの振動が液体８ａを経て天面８ｄに伝播され、天面８ｄが振動し、天面８ｄ上の洗剤液が霧化されて洗剤成分を含んだミスト７を発生する。
【００２８】
ここで、洗剤は、浴槽用の洗剤を適当に選択してもらえれば良い。また、漂白を行いたい場合においては、漂白剤を用いてもかまわない。
【００２９】
また、洗剤成分を含んだミスト７として飛散、浮遊させるため、少ない上水によって希釈するため、その濃度は本来説明されている濃度より濃いものを使用しても使用する洗剤量が極端に増えることはないし、扱いにくいこともない。また、高濃度のものは洗浄にたいしても有効であることが多い。ここで、液体の洗剤であり、霧化ができれば、洗剤の原液を用いてもかまわない。
【００３０】
以上のように、本実施の形態によれば、霧化装置８の霧化用振動子８ｃの上側は、容器８ｂ内に封入された液体８ａに触れるだけで、霧化用振動子８ｃの表面が洗剤液と直接触れることはない。したがって、いろいろな化学成分に対して問題のない材料で構成する天面８ｄをその洗剤液に臨むように霧化装置８を搭載しても、霧化用振動子８ｃが故障したり、霧化用振動子８ｃの動作に影響を与えて霧化量の著しい低下を招いたりすることなく、長期にわたって、安定して霧化することができる。
【００３１】
また、使用する水に対しても、井戸水などの非常に硬度が高い水を使用する場合においても、霧化用振動子８ｃの表面に無機質分が付着したり、その動作に影響を与える事が無く、本来の目的である液体の霧化を長期間に亘って安定的に行うことができる。
【００３２】
次に、浴槽２の周辺の構成について説明する。浴槽２に対して連通させてある霧化発生部６および給水弁１１を配置している。また、洗剤成分の含んだミスト７の噴霧後、汚れを洗い流す為のシャワーを噴射する給水噴射手段１２も配置する。
【００３３】
給水噴射手段１２は、上水から分岐し、その噴射を制御する為の噴射用給水弁１２ａと浴槽２に対して実際に噴射する噴射ノズル１２ｂおよびその配管を備えている。また、霧化装置８や給水噴射手段１２を制御するための制御手段１３も配置している。
【００３４】
これらの構成による動作、作用を説明する。
【００３５】
まず、浴槽２の洗浄を行う場合、霧化発生部６の上の投入フタ１０を開け、所定量の洗剤を投入する。洗剤を投入した後で、霧化装置８を駆動し、洗剤成分を含んだミスト７を発生させる。この時の洗剤成分を含んだミスト７の発生量は、浴槽２を十分に充満する発生量の能力を持ったものとしている。被洗浄物である浴槽２の全ての部分に洗剤成分の含んだミスト７を付着させる。洗剤成分を含んだ非常に軽いミストでも、徐々に沈降するので、常に浴槽２内に洗剤成分を含んだミスト７を充満させておくように、以降も間欠的に霧化装置８を駆動しておく。そして、洗剤成分が浴槽２の汚れに作用し、汚れが浴槽２から浮き上がるまで放置しておく。
【００３６】
次は、浮き上がった汚れを、シャワーの噴射により洗い流す必要がある。浴槽２の適所に複数配置している給水噴射手段１２を用いて、浴槽２内に上水をかけて汚れを洗い流す。このようにして、簡単に浴槽２内の洗浄を行うことができる。
【００３７】
また、制御手段１３に予約機能を搭載することで、所定の時刻に浴槽２の掃除を自動的に行うことができる。あらかじめ、必要回数の洗剤液の量を霧化発生部６に溜めておき、通常ユーザーが風呂を使用する時間後の所定の時刻に霧化装置８や給水噴射手段１２を動作させる。これにより、手間も要らずに、常に浴槽２を掃除し、きれいな状態に保つことができる。
【００３８】
ここで、浴槽２の洗浄に対して、オール自動としての洗浄装置を説明しているが、浴槽２の洗浄で大変なのは、人が洗剤を用いて浴槽２内をこすって洗浄することである。本発明の洗浄装置において、洗剤成分の含んだミスト７を発生させて、浴槽２内の汚れを浮き上がらせるまでの洗浄装置としても、後は人が上水のシャワーをかけるだけで簡単に浴槽２内を洗浄できるので十分にメリットがある。また、汚れを洗い流す為の給水噴射手段１２は、全体をうまく洗う為に構成が複雑になるので、このように洗剤成分の含んだミスト７を発生させるだけの洗浄装置のほうが安価で簡単に扱うことができる。
【００３９】
以上のように、本実施の形態においては、浴槽２の中に十分に充満する洗剤成分を含んだミスト７を注入するように霧化装置８を配置したものであり、浴槽２内の汚れに対して
、洗剤成分を含んだミスト７での洗剤分の付着後、放置し、洗剤の化学作用により汚れが浮いた状態で、給水噴射手段１２により浴槽２内の汚れを洗い流すことにより、簡単に洗浄を行うことができる。
【００４０】
なお、洗剤成分を含んだミスト７の粒径は、発明者らが実験により確認したところによると、数μｍ程度を分布の中心としたミクロンオーダーとした場合が、洗浄効果にとって好適であったが、これに限定されるものではない。
【００４１】
（実施の形態２）
図３は、本発明の第２の実施の形態における、洗剤成分を含んだミスト７を発生させる霧化装置８を組み込んだ浴室の洗浄装置を示す断面図である。
【００４２】
図３において、浴室１４に対して、霧化発生部６で洗剤成分を含んだミスト７を発生させて、洗剤成分を含んだミスト７を浴室１４内に注入できるように構成している。
【００４３】
霧化発生部６の具体的構成は、実施の形態１と同様のものである。ただし、洗浄をする空間は、浴槽に比べて非常に広いので、霧化装置８の能力は実施の形態１に比べて大きいものを必要とする。
【００４４】
また、洗剤成分を含んだミスト７は、前述したように沈降するので、浴室１４内の全体に満遍なく付着する為に循環ファン（図示していない）を用いている。
【００４５】
また、給水噴射手段１２、制御装置（図示しない）も実施の形態１と同様の構成であるが、これらも広い部分を洗う為に噴射ノズルの数量の適正化、または移動可能とすることにより、浴室１４内の汚れを効率よく洗い流すことができる。
【００４６】
これらの構成による動作、作用は、その洗浄に対して、実施の形態１と全く同様であるので、説明を省略する。
【００４７】
以上のように、本実施の形態においては、浴室１４の中に十分に充満する洗剤成分を含んだミスト７を注入するように霧化装置８を配置したものであり、浴室１４内の汚れに対して、洗剤成分を含んだミスト７での洗剤分の付着後、放置し、洗剤の化学作用により汚れが浮いた状態で、給水噴射手段１２により浴室１４内の汚れを洗い流すことにより、簡単に洗浄を行うことができる。
【産業上の利用可能性】
【００４８】
以上のように、本発明にかかる洗浄装置は、被洗浄物としての浴槽あるいは浴室の中に洗剤成分を含んだミストを注入するように霧化装置を配置したもので、被洗浄物を簡単に洗浄することができるので、浴槽あるいは浴室に広く適用できるものである。
【図面の簡単な説明】
【００４９】
【図１】本発明の実施の形態１における洗浄装置を示す断面図
【図２】同洗浄装置の霧化装置の拡大断面図
【図３】本発明の実施の形態２における洗浄装置を示す斜視図
【図４】従来の浴室の洗浄システムの斜視図
【符号の説明】
【００５０】
２  浴槽
６  霧化発生部
７  洗剤成分の含んだミスト
８  霧化装置
８ａ  液体
８ｂ  容器
８ｃ  霧化用振動子
１２  給水噴射手段
１４  浴室
【図１】
0004415913.tif 000002
【図２】
0004415913.tif 000003
【図３】
0004415913.tif 000004
【図４】
0004415913.tif 000005